(57)【特許請求の範囲】
【請求項１】
防護柵の金属製ビームの少なくとも一面側を被覆する木製板状体からなり、該木製板状体の裏面全面にはシート状強化材が貼着されていることを特徴とする防護柵用木製カバー。
【請求項２】
前記防護柵用木製カバーは、前記金属製ビームのボルト挿通孔に対応する位置にボルト貫通孔を備え、前記金属製ビームと、隣接して貼設される金属製ビームとの連結と共に、或いは前記防護柵の金属製支柱と前記金属製ビームとの固定と共に前記防護柵に取り付け可能である請求項１に記載の防護柵用木製カバー。
【請求項３】
前記木製板状体の表面側には、発光テープ或いは反射シートが貼着されている請求項１または２に記載の防護柵用木製カバー。
【請求項４】
前記防護柵用木製カバーは、前記防護柵の前記金属製ビームの上下にそれぞれ設けられた立面凸部の上端から下端までの幅寸法に形成され、かつ前記立面凸部に面当接して取り付けられるものである請求項１ないし３のいずれかに記載の防護柵用木製カバー。
【請求項５】
金属製支柱と、該金属製支柱に貼設された金属製ビームとからなる防護柵であって、該防護柵は、前記金属製ビームの少なくとも一面側を被覆する木製板状体からなる防護柵用木製カバーを備え、該木製板状体の裏面全面にはシート状強化材が貼着されていることを特徴とする防護柵。
【請求項６】
前記防護柵用木製カバーは、前記防護柵の前記金属製ビームのボルト挿通孔に対応する位置にボルト貫通孔を備え、前記金属製ビームと、該金属製ビームと隣接して貼設される金属製ビームとの連結と共に、或いは前記防護柵の前記金属製支柱と前記金属製ビームとの固定と共に、前記防護柵に取り付けられている請求項５に記載の防護柵。
【請求項７】
前記木製板状体の表面側には、発光テープ或いは反射シートが貼着されている請求項５または６に記載の防護柵。
【請求項８】
前記防護柵の前記金属製ビームは、上下にそれぞれ立面凸部を有し、前記防護柵用木製カバーは、前記立面凸部の上端から下端までの幅寸法に形成され、かつ前記立面凸部に面当接して取り付けられている請求項５ないし７のいずれかに記載の防護柵。
【発明の詳細な説明】
【０００１】
【発明の属する技術分野】
本発明は、路側用防護柵、分離帯用防護柵、歩道用防護柵、橋梁用防護柵、或いは公園等の防護柵に使用して好適な防護柵用木製カバーおよび防護柵に関する。
【０００２】
【従来の技術】
従来より、例えば路側用防護柵として、図１１に示すような、いわゆるガードレールが多用されている。
この種のガードレールは、支柱５１と、支柱５１に固定された梁（ビーム）５２と、支柱５１とビーム５２とを連結するブラケット５３とからなり、通常、鋼材や鋳鉄などの金属にて構成されている。
【０００３】
そして、近年では、車両等の衝突時に搭乗者が受ける衝撃を緩和するため、また衝突時の衝撃に対して防護柵自体を保護するため、さらに景観等周辺環境と調和させるために、木材を利用した防護柵が種々提案されている。例えばそのようなものとして、特開平８−３２６０２３号などがある。
【０００４】
【発明が解決しようとする課題】
しかし、路側用防護柵等は法律により必要とされる場所には既に設置されており、それら膨大な数の防護柵を撤去して新規な防護柵に取り替えることは極めて困難であり、莫大な労力および資金を要する。
【０００５】
そこで、本発明の第１の課題は、木材を使用する利点（衝突時に人や車両等が受ける衝撃を軽減できる。防護柵自体を衝撃より保護し損傷を軽減する。景観等周辺環境と調和する。）を備えた防護柵を簡単かつ安価に形成でき、メンテナンスも容易で、既設の防護柵にも使用できると共に、木材部分が破壊された場合に、木材が鋭利な形状で露呈したり、破片が飛散したりする危険性をより低減させることができる防護柵用木製カバーを提供することにある。
【０００６】
また、本発明の第２の課題は、木材を使用する利点（衝突時に人や車両等が受ける衝撃を軽減できる。防護柵自体を衝撃より保護し損傷を軽減する。景観等周辺環境と調和する。）を備えた防護柵を簡単かつ安価に形成でき、メンテナンスも容易で、既設の防護柵にも使用できると共に、木材部分が破壊された場合に、木材が鋭利な形状で露呈したり、破片が飛散したりする危険性をより低減させることができる防護柵を提供することにある。
【０００７】
【課題を解決するための手段】
上記本発明の第１の課題を解決するものは、防護柵の金属製ビームの少なくとも一面側を被覆する木製板状体からなり、該木製板状体の裏面全面にはシート状強化材が貼着されていることを特徴とする防護柵用木製カバーである。
【０００８】
前記防護柵用木製カバーは、前記金属製ビームのボルト挿通孔に対応する位置にボルト貫通孔を備え、前記金属製ビームと、隣接して貼設される金属製ビームとの連結と共に、或いは前記防護柵の金属製支柱と前記金属製ビームとの固定と共に前記防護柵に取り付け可能であることが好ましい。前記木製板状体の表面側には、発光テープ或いは反射シートが貼着されていることが好ましい。前記防護柵用木製カバーは、前記防護柵の前記金属製ビームの上下にそれぞれ設けられた立面凸部の上端から下端までの幅寸法に形成され、かつ前記立面凸部に面当接して取り付けられるものであることが好ましい。
【０００９】
また、上記本発明の第２の課題を解決するものは、金属製支柱と、該金属製支柱に貼設された金属製ビームとからなる防護柵であって、該防護柵は、前記金属製ビームの少なくとも一面側を被覆する木製板状体からなる防護柵用木製カバーを備え、該木製板状体の裏面全面にはシート状強化材が貼着されていることを特徴とする防護柵である。
【００１０】
前記防護柵用木製カバーは、前記防護柵の前記金属製ビームのボルト挿通孔に対応する位置にボルト貫通孔を備え、前記金属製ビームと、該金属製ビームと隣接して貼設される金属製ビームとの連結と共に、或いは前記防護柵の前記金属製支柱と前記金属製ビームとの固定と共に、前記防護柵に取り付けられていることが好ましい。前記木製板状体の表面側には、発光テープ或いは反射シートが貼着されていることが好ましい。前記防護柵の前記金属製ビームは、上下にそれぞれ立面凸部を有し、前記防護柵用木製カバーは、前記立面凸部の上端から下端までの幅寸法に形成され、かつ前記立面凸部に面当接して取り付けられていることが好ましい。
【００１１】
【作用】
本発明の防護柵用木製カバーは、防護柵のビームの少なくとも一面側を被覆する木製板状体からなり、防護柵のビームに簡単かつ安価に取り付けることができ、既設の防護柵に対しても木材を使用する利点を具備させることができる。また、木材部分が部分的に損傷した場合でも、損傷した木製板状体のみを取り替えればよくメンテナンスも極めて容易である。さらに、木製板状体に強化材が貼着されているので、木材部分が破壊された場合の危険性が低減される。
【００１２】
【発明の実施の形態】
本発明の防護柵用木製カバーを、図１ないし図６に示した一実施例を用いて説明する。
図１は、本発明の防護柵用木製カバーの一実施例の正面図であり、図２は、図１のＡ−Ａ線断面図であり、図３は、図１に示した防護柵用木製カバーの取付方法を説明するための正面図であり、図４は、図１に示した防護柵用木製カバーをガードレールに連続的に貼着した状態を示す使用説明図であり、図５は、図３のＢ−Ｂ線断面図であり、図６は、図３の中央部に示された支柱付近の平面図である。
【００１３】
この実施例の防護柵用木製カバー１は、図１ないし図３に示すように、防護柵１０のビーム１１の少なくとも一面側を被覆する木製板状体２からなっている。
【００１４】
この木製板状体２は、長尺状に製材されており、取り付ける防護柵のビームの幅に対応させた幅に形成されている。具体的には、この実施例の木製板状体は、図３に示す路側用防護柵１０に取り付けられるものであり、ビーム１１の幅３５０ｍｍに対応させて幅３００ｍｍに形成されている。このように、木製板状体２はビームを被覆するものであることから、ビームの幅と略同一幅に形成される。
【００１５】
木製板状体２の長さは、４０００ｍｍであり、厚さは２０ｍｍに形成されている。ただし、木製板状体の寸法は上記サイズに限定されるものではなく、取り付けるビームに対応させて適宜変更可能である。また、形状も長尺状に限定されるものではなく、ビームを部分的にでも被覆するものであればデザイン的に趣向を凝らしたものも本発明の範疇に包含される。さらに、この実施例の木製板状体の端辺部に面取りを施してもよい。
【００１６】
なお、この実施例の木製板状体２がビームの幅より若干小さい３００ｍｍに形成されているのは、図５に示すように、取り付ける防護柵１０（最も多用されている一般的な路側防護柵）のビーム１１が上下にそれぞれ立面凸部１１ａ，１１ｂを有し、それらの上端から下端までの寸法が３００ｍｍであることから、その寸法と同一としたものである。この幅寸法とすることにより、木製板状体２を立面凸部１１ａおよび立面凸部１１ｂに面当接させ、かつ立面凸部１１ａの上方および立面凸部１１ｂの下方に突出しないため、より安定した状態でビーム１１に取り付けることができる。
【００１７】
また、木製板状体２の長さを４０００ｍｍとしたのは、取り付ける防護柵１０の各ビーム１１の長さが４３００ｍｍであり、隣接するビーム１１同士が３０ｍｍ重ね合わされて貼設されることから、実質４０００ｍｍ間隔でビーム１１が貼設されることとなり、それに対応させたものである。これような長さに形成することにより、ビームと隣接して、一部重ね合わされて貼設されるビームとの固定と共に、一つの木製板状体を防護柵に取り付けることが可能となる。
【００１８】
そして、木製板状体２には、ビーム１１への取り付けに際してビーム１１のボルト挿通孔１３に対応する位置にボルト貫通孔３が設けられている。具体的には、木製板状体２は、図１に示すように、四隅付近にそれぞれボルト貫通孔３ａ，３ｂ，３ｃ，３ｄを有しており、ビーム１１への取り付け時には、図５に示すように、ビーム１１の立面凸部１１ａ，１１ｂにそれぞれ穿孔されたボルト挿通孔１３ａ，１３ｂと上記ボルト貫通孔３ａ，３ｂが対応するように構成されている。
【００１９】
そして、防護柵用木製カバー１を防護柵１０に取り付ける場合は、図５に示すように、ビーム１１と、このビーム１１と隣接して配設されるビーム１１とを一部重ね合わせた状態で、木製板状体２をビーム１１の一側面（路側）に重ね合わせ、ボルト１４により固定する。これにより、隣接して貼設されるビーム１１同士の連結と共に、防護柵用木製カバー１を防護柵１０に取り付けることができる。
【００２０】
なお、既設の防護柵に対しては、隣接して貼設されるビーム同士を固定しているボルトを取り外した後、防護柵用木製カバー１をビームの一側面（路側）に重ね合わせ、長いボルトに代えて固定すればよい。
【００２１】
このように、本発明の防護柵用木製カバー１は、防護柵のビームに簡単に取り付けることができ、既設の防護柵に対しても極めて容易に取り付けることができ、かつ、木材を使用する利点を防護柵に具備させることができる。また、木材部分が部分的に損傷した場合でも、損傷した木製板状体のみを取り替えればよくメンテナンスも極めて容易である。
【００２２】
木製板状体２を構成する材料は、木材であればどのようなものでもよいが、から松、桧、杉、栂、樅など針葉樹が好適に使用できる。この実施例は、木資源の有効活用を図るために、戦後電柱用として大量に植樹され現在では用途が極めて少ないから松の集成材にて形成されている。
【００２３】
木製板状体２は、所要形状に製材された後、自然或いは人工的に乾燥させ、ヤニ抜きを行うことが好ましい。また、木製板状体２は防腐防蟻処理されていることが好ましく、この防腐防蟻処理は、真空加圧注入して行うことが好ましい。これにより木材中に薬液を深く浸透させ、木材中の成分と反応し定着させることができる。なお、真空加圧注入とは、木製板状材２を大型注液缶の中に挿入し、缶内部を真空雰囲気下とし加圧することにより木製板状材中に薬液を浸透させる方法である。
【００２４】
さらに、木製板状体２は、防腐性、防カビ性、防汚染性、耐候性、防水性、耐アルカリ性を高めるために、或いは木材の割れや反り防止を目的として、表面処理されることが好ましい。
【００２５】
表面処理に使用される塗料としては、シリコーン或いはエタノール等を主成分とする防水性塗布剤或いは疎水性塗布剤を塗布することが好ましく、さらに、この表面に、防汚染性、防水性、耐アルカリ性或いは強靭性に優れたナイロン樹脂等が塗布されることが好ましい。
【００２６】
また、木製板状体２は、図２に示すように、一側面（取り付けられる防護柵１０の支柱１２側面）に強化材４が貼着されている。この実施例の強化材４はメラミン含浸紙が使用されており、これにより、木製板状体の強度を向上させることができると共に、衝突等の衝撃によって木製板状体が破壊されても、強化材に裂け目部分が付着しているため、鋭利な形状で露呈したり、破片が飛散したりすることを防止できる。
【００２７】
木製板状体２と強化材４とを接合する接着剤としては、エポキシ樹脂系、アクリル樹脂系、ＥＶＡ樹脂系、酢酸ビニル樹脂系、シリコーン樹脂系、ポリウレタン系、フェノール樹脂系、無機接着剤などが好適に使用できる。
【００２８】
なお、この実施例の強化材４は、木製板状体２の裏面全面に貼着されているが、部分的に貼着されているものも本発明の範疇に包含される。ただし、好ましくは全面に貼着されていることである。また、この実施例の強化材４は、メラミン含浸紙が使用されているが、カーボンファイバーやグラスファイバーをシート状に形成したもの（例えば炭素繊維布やガラス繊維布）、強化木（木製板材にフェノール樹脂などの合成樹脂を浸潤させたもの）の薄板、強化プラスチック（ガラス繊維や木綿布などを補強材とし、合成樹脂を含浸させたもの、例えばＦＲＰ）の薄板などを使用してもよい。
【００２９】
また、木製板状体２の表面側（路側）には、図３に示すように、夜間などに発光する発光テープ５或いは反射シートが貼着されていることが好ましい。また、ボルト貫通孔３を補強するために、ボルト貫通孔３内には、筒状の金属製リンク（図示しない）が埋設されていることが好ましい。
【００３０】
（実施例）
から松の集成材の一面にメラミン含浸紙（厚さ０．２ｍｍ）を貼着した本発明の防護柵用木製カバー（長さ１０００ｍ×幅１４５×厚さ１５．６ｍｍ）を４枚作製し、実施例１ないし４とした。
【００３１】
（比較例）
から松の集成材（長さ１０００ｍ×幅１４５×厚さ１５．４ｍｍ）を２枚作製し、メラミン含浸紙（厚さ０．２ｍｍ）を貼着しないものを、比較例１および２とした。
【００３２】
（試験）
材料試験機ＴＣＭ−５０００を用いて、図７に示したスパン条件、即ち、木製板状体６０の下方において、Ｌ：９０ｃｍ間隔を隔てて上向き矢印が示す２点で木製板状体６０を支持し、上方よりＬを３分割した下向き矢印が示す２点を、クロスヘッド速さ：１０ｍｍ／ｍｉｎで押圧して、破壊荷重および荷重に対する変位を計測した。そして、破壊荷重から曲げ強さを算出し、荷重に対する変位から曲げヤング係数を算出し、以下の【表１】に示す試験結果を得た。
【００３３】
（試験結果）
【表１】
0003753206.tif 000002
【００３４】
上記試験結果より、破壊荷重、曲げ強さ、曲げヤング係数共に、比較例に比して実施例の数値が増加しており、また、上記試験において実施例いずれも破壊には至らず変位９ｃｍ程度で試験を終了した。
これらの試験結果より、メラミン含浸紙の貼着により、木製板状体の強度および弾性が向上したことが確認された。
【００３５】
つぎに、本発明の防護柵について図３ないし図６に示した一実施例を用いて説明する。
この実施例の防護柵１０は、路側用防護柵であり、図３に示すように、金属製支柱１２と、金属製支柱１２に水平方向に貼設された金属製ビーム１１とからなり、防護柵１０は、金属製ビーム１２の少なくとも一面側を被覆する防護柵用木製カバー１を備えている。以下、各構成について順次説明するが、防護柵用木製カバー１は前述した通りであり詳述は省略する。
【００３６】
金属製支柱１２は、後述する金属製ビーム１１を所要の高さに保持するためのものであり、所定間隔（この実施例では２ｍ間隔）で立設される。なお、金属製支柱１２の立設は、コンクリートを打設して基端部を固定して行われる。
【００３７】
金属製ビーム１１は、梁を構成してフェンスとして機能する部位であり、図４に示すように、道路の湾曲に追随させて湾曲した形態に形成される。
【００３８】
なお、この実施例の金属製ビーム１１は、図５に示すように、断面略Ｗ字型に形成されており、その３つの屈曲部には、垂直方向に延びる平坦部を備えている。即ち、この３つの平坦部は、路側に突出する立面凸部１１ａ，１１ｂとその中間部に設けられた立面凹部１１ｃを形成している。
【００３９】
そして、立面凸部１１ａ，１１ｂにおいて、隣接する２つの金属製ビーム１１が重なり合わされた状態で、防護柵用木製カバー１と共にボルト１４にて固定されている。即ち、隣接する２つの金属製ビームの連結と共に防護柵用木製カバー１が固定されている。また、図５および図６に示すように、立面凹部１１ｃにて、ブラケット１５を介して金属製ビーム１１と金属製支柱１２とが固定されている。
【００４０】
金属製ビーム１１の路７０側には、図４に示すように、上記固定方法にて、連続的に防護柵用木製カバー１が貼着されており、金属製ビーム１１が湾曲する部位においても、防護柵用木製カバー１がその湾曲に追随して湾曲し貼着されている。
【００４１】
なお、防護柵用木製カバーは、前述した試験結果が示すように、十分な曲げ強さを備えており、図４に示すような比較的湾曲が激しい場合でも、金属製ビーム１１の湾曲に追随して湾曲する。また、金属製ビーム１１と防護柵用木製カバー１との固定は、上述した隣接する２つの金属製ビームの連結と共に行うもの以外に、図３に示すように、必要に応じて締結手段１６を用いて行うことが好ましい。この場合は、金属製ビーム１１および防護柵用木製カバー１の所定部位にボルト挿通孔（図示しない）およびボルト貫通孔（図示しない）を形成する必要がある。さらに、ボルト、ナットおよび締結手段などには防錆用亜鉛メッキが施されていることが好ましい。さらに、この実施例の防護柵１０は、金属製ビーム１１の路７０側にのみ防護柵用木製カバー１が貼着されているが、金属製ビームの支柱側にも防護柵用木製カバーが貼着されていてもよい。
【００４２】
さらに、図８に示した本発明の防護柵の他の実施例について説明する。
この実施例の防護柵３０は、分離帯用防護柵であり、前述した路側用防護柵１との基本的な相違は、金属製支柱３１の両側にそれぞれ金属製ビーム３２，３３が貼設されており、さらに金属製ビーム３２，３３の外方にそれぞれ前述した防護柵用木製カバー１が取り付けられている点である。このように、防護柵用木製カバー１を分離帯用防護柵に使用してもよく、このような防護柵も本発明の範疇に包含される。
【００４３】
なお、間隔材３４は、両端部にそれぞれ金属製ビーム３２，金属製ビーム３３を固定して間隔を保持するものであり、この水平方向の長さで金属製ビーム３２と金属製ビーム３３との間隔が設定される。
【００４４】
さらに、図９および図１０に示した本発明の防護柵の他の実施例について説明する。
この実施例の防護柵４０は、公園などのフェンスとして使用して好適なものであり、複数の木製支柱４１と、木製支柱４１間に貼設された木製ビーム４２とからなり、木製ビーム４２は支柱４１側面に強化材４４が貼着されている。以下、各構成について順次説明する。
【００４５】
この実施例の木製支柱４１は、略円柱体形状を有しており、縦割りして２分され、図９に示すように、内部に強化材４３を配して接合され構成されている。そして、この強化材４３は、後述する木製ビーム４２の貼設方向と略直交する方向に延在して配設されている。このような構造とすることにより、両側に貼設された木製ビーム４２からの衝撃に対しより強固に支持可能となる。
【００４６】
木製支柱４１間に貼設される木製ビーム４２の支柱４１側面には、図１０に示すように、強化材４４が貼着されている。これにより、木製ビームの強度を向上させることができると共に、衝突等の衝撃によって木製ビームが破壊されても、強化材に裂け目部分が付着しているため、鋭利な形状で露呈したり、木片が飛散したりすることを防止することができる。
【００４７】
木製ビーム４２は、この実施例では、木製支柱４１の両側に貼設されているが、一方側のみに貼設されていてもよい。また、この実施例の防護柵４０は、水平方向に片側一本の木製ビームが貼設されているが、複数の木製ビームを上下方向に貼設したものも本発明の範疇に包含される。そして、木製ビーム４２の木製支柱の４１への貼設は、図８に示すように、ステンレス製ボルト４５によりなされている。
【００４８】
なお、この実施例の木製支柱４１の径は、１００ｍｍ〜１２０ｍｍ程度が好ましく、木製ビーム４２は、幅２５０ｍｍ〜３５０ｍｍ程度で、厚さが２０ｍｍ〜４０ｍｍ程度が好ましい。木製支柱４１の高さは設置場所によって適宜設定されればよく、木製ビーム４２の長さもまた、木製支柱４１の立設間隔に応じて適宜設定される。
【００４９】
強化材４３，４４としては、この実施例では、メラミン含浸紙が使用されているが、カーボンファイバーやグラスファイバーをシート状に形成したもの（例えば炭素繊維布やガラス繊維布）、強化木（木製板材にフェノール樹脂などの合成樹脂を浸潤させたもの）の薄板、強化プラスチック（ガラス繊維や木綿布などを補強材とし、合成樹脂を含浸させたもの、例えばＦＲＰ）の薄板などを使用してもよい。
【００５０】
木製支柱４１および木製ビーム４２を構成する材料は、木材であればどのようなものでもよいが、から松、桧、杉、栂、樅など針葉樹が好適に使用できる。この実施例は、から松の集成材が使用されている。
【００５１】
木製支柱４１および木製ビーム４２は、所要形状に製材された後、自然或いは人工的に乾燥させ、ヤニ抜きを行うことが好ましい。また、木製支柱４１および木製ビーム４２は防腐防蟻処理されていることが好ましく、この防腐防蟻処理は、前述した真空加圧注入により行われることが好ましい。
【００５２】
さらに、木製支柱４１および木製ビーム４２は、防腐性、防カビ性、防汚染性、耐候性、防水性、耐アルカリ性を高めるために、或いは木材の割れや反り防止を目的として、表面処理されることが好ましい。表面処理に使用される塗料としては、前述したものが好適に使用できる。
【００５３】
【発明の効果】
請求項１に記載した発明によれば、木材を使用する利点（衝突時に人や車両等が受ける衝撃を軽減できる。防護柵自体を衝撃より保護し損傷を軽減する。景観等周辺環境と調和する。）を備えた防護柵を簡単かつ安価に形成でき、メンテナンスも容易で、既設の防護柵にも使用することができると共に、木材部分が破壊された場合に、木材が鋭利な形状で露呈したり、破片が飛散したりする危険性をより低減させることができる。
請求項２に記載した発明によれば、請求項１の効果に加え、防護柵用木製カバーをより容易に防護柵に取り付けることができる。
請求項３に記載した発明によれば、請求項１または２の効果に加え、夜間などに発光させることができる。
請求項４に記載した発明によれば、請求項１ないし３の効果に加え、木製板状体をより安定した状態でビームに取り付けることができる。
請求項５に記載した発明によれば、木材を使用する利点（衝突時に人や車両等が受ける衝撃を軽減できる。防護柵自体を衝撃より保護し損傷を軽減する。景観等周辺環境と調和する。）を備えた防護柵を簡単かつ安価に形成でき、メンテナンスも容易であると共に、木材部分が破壊された場合に、木材が鋭利な形状で露呈したり、破片が飛散したりする危険性をより低減させることができる。
請求項６に記載した発明によれば、請求項５の効果に加え、防護柵用木製カバーをより容易に防護柵に取り付けることができる。
請求項７に記載した発明によれば、請求項５または６の効果に加え、夜間などに発光させることができる。
請求項８に記載した発明によれば、請求項５ないし７の効果に加え、木製板状体をより安定した状態でビームに取り付けることができる。
【図面の簡単な説明】
【図１】  本発明の防護柵用木製カバーの一実施例の正面図である。
【図２】  図１のＡ−Ａ線断面図である。
【図３】  図１に示した防護柵用木製カバーの取付方法を説明するための正面図である。
【図４】    図１に示した防護柵用木製カバーをガードレールに連続的に貼着した状態を示す使用説明図である。
【図５】  図３のＢ−Ｂ線断面図である。
【図６】  図３の中央部に示された支柱付近の平面図である。
【図７】  試験方法を説明するための説明図である。
【図８】    本発明の防護柵の他の実施例の部分正面図である。
【図９】  本発明の防護柵の他の実施例の正面図である。
【図１０】  図９に示した防護柵の平面図である。
【図１１】  従来の防護柵の正面図である。
【符号の説明】
１  防護柵用木製カバー
２  木製板状体
３  ボルト貫通孔
４  強化材
５  発光テープ
１０  防護柵
１１  金属製ビーム
１２  金属製支柱
１３  ボルト挿通孔
１４  ボルト
１５  ブラケット
１６  締結手段
【図１】
0003753206.tif 000003
【図２】
0003753206.tif 000004
【図３】
0003753206.tif 000005
【図４】
0003753206.tif 000006
【図５】
0003753206.tif 000007
【図６】
0003753206.tif 000008
【図７】
0003753206.tif 000009
【図８】
0003753206.tif 000010
【図９】
0003753206.tif 000011
【図１０】
0003753206.tif 000012
【図１１】
0003753206.tif 000013